(57)【要約】【課題】調理用具を使用中に一時保持する際に調理台の上などを汚さない、調理用具の保持具を提供する。【解決手段】上記課題を解決するために、本発明は、棒状又は板状の柄部材と、柄部材の一端側に取り付けられた固定部材と、柄部材の他端側に形成された吊り部とから構成されており、その際、固定部材は柄部材の側面に取り付けられており、吊り部は柄部材の軸に対し交差する方向に伸長する棒状又は板状の部材を柄部材に接合して形成されている。その際、該吊り部が固定部材の取り付け部の取り付け軸延長線から、少なくとも１５ｃｍの距離を有して形成されていることを特徴とする調理用具吊り具を提供する。【選択図】    図１
2004174178.tif 000002
【特許請求の範囲】
【請求項１】
棒状又は板状の柄部材と、柄部材の一端側に取り付けられた固定部材と、柄部材の他端側に形成された吊り部とから構成されており、その際、固定部材は柄部材の側面に取り付けられており、吊り部は柄部材の軸に対し交差する方向に伸長する棒状又は板状の部材を柄部材に接合して形成されている。その際、該吊り部が固定部材の取り付け部の取り付け方向軸延長線から、少なくとも１５ｃｍの距離を有して形成されていることを特徴とする調理用具吊り具。
【請求項２】
吊り部を複数本形成し、その際、複数の吊り部が柄部材の軸に対し回転する方向に互いに開いて形成されている請求項１に記載の調理用具吊り具。
【請求項３】
吊り部を複数本形成し、その際、吊り部に吊り部を湾曲させ又は屈曲させ又は凹部又は凸部を設けて止め部を形成し、隣接する２本の吊り部の其々の止め部を通る直線と、止め部より先端方向に２ｃｍ以内の吊り部の軸線とで成す平面角度が、２つの吊り部のいずれかで７５°以内となっている、請求項１又は２のいずれかに記載の調理用具吊り具。
【請求項４】
固定部材が吸着盤で形成された請求項１〜３のいずれかに記載の調理用具吊り具。
【請求項５】
吸着盤と吊り部の間に、吸着盤を被固定部材に吸着させた際、吸着盤の吸着面から被固定部材側に入った位置に、抑え部が形成されている請求項４に記載の調理用具吊り具。
【請求項６】
吸着盤の取り付け部から柄部材の吸着盤側先端部までの長さを、吸着盤の取り付け部から吸着盤の先端部までの長さより長く形成した請求項４又は５のいずれかに記載の調理用具吊り具。
【請求項７】
柄部材が、その軸に対して回転自在な状態で形成されている請求項１〜６のいずれかに記載の調理用具吊り具。
【発明の詳細な説明】
【０００１】
【発明の属する技術分野】
本発明は、調理用具を吊り下げて保持する調理用具の吊り具に関する。
【０００２】
【従来の技術】
従来、杓子、玉杓子、シャモジ、フライ返し等の調理用具は、調理中に一時的に使用しない場合に、その置き場に困っていた。例えば、玉杓子で鍋の中の汁物を攪拌した後、更に加熱する際には、玉杓子を鍋の中に放置したり、台所の調理台等に置いたりしていた。しかしながら、玉杓子を鍋の中に放置するのでは、鍋の外側に沿って上方に向かって伝わるガスレンジ等の加熱源の熱によって玉杓子の把持部が熱くなって持つことができなくなったり、場合によっては把持部が融けてしまったりすることがあった。また、玉杓子を台所の調理台に置くのは、余分な場所を取るし、座りが悪くて転がったりするために、他の作業にあたって極めて邪魔であると共に、玉杓子の掬部に付いた液が調理台上にこぼれるため、調理台が汚れ易かった。更に、これらの調理用具を吊り下げるフックがあるが、使用した杓子などの調理用具をそのままフックに掛けると、調理台上に置くのと同様に、掬部に付いた液が調理台上にこぼれるため、調理途中の一時的な保持場所として使用することはできなかった。
【０００３】
この問題を解決するための手段として、玉杓子の掬部の底に平面部分を形成し、掬部を下側にして直立することができるようにした玉杓子が提案されている。これは、例えば、鍋の中央部に直立させた状態で保持したり、あるいは調理台上に直立させた状態で保持することができるものである。しかしながら、鍋の中央部に保持するのでは、例えば鍋の蓋をしなければならない場合には適用することができず、また、調理台の上に直立させるのでは、食品に直接触れる掬部を調理台の表面に接触させることになり、衛生上問題がある。この衛生上の問題を解決するために、玉杓子用の受け皿と組みにして用い、玉杓子を受け皿内に直立させて保持する物も提案されているが、部品数が多くなって掃除等煩雑である。
【０００４】
【発明が解決しようとする課題】
本発明は、上記の問題を解決するもので、使用した調理用具を、シンクタンクの内側に吊った状態で保持することにより、調理台の上を汚すことなく調理用具を保持することができるものである。
【０００５】
【課題を解決するための手段】
上記課題を解決するために、本発明は以下の各態様の調理用具吊り具を提供する。
【０００６】
１．  棒状又は板状の柄部材と、柄部材の一端側に取り付けられた固定部材と、柄部材の他端側に形成された吊り部とから構成されており、その際、固定部材は柄部材の側面に取り付けられており、吊り部は柄部材の軸に対し交差する方向に伸長する棒状又は板状の部材を柄部材に接合して形成されている。その際、該吊り部が固定部材の取り付け部の取り付け方向軸延長線から、少なくとも１５ｃｍの距離を有して形成されていることを特徴とする調理用具吊り具。
【０００７】
２．  吊り部を複数本形成し、その際、複数の吊り部が柄部材の軸に対し回転する方向に互いに開いて形成されている上記第１項に記載の調理用具吊り具。
３．  吊り部を複数本形成し、その際、吊り部に吊り部を湾曲させ又は屈曲させ又は凹部又は凸部を設けて止め部を形成し、隣接する２本の吊り部の其々の止め部を通る直線と、２つの止め部から先端方向に２ｃｍ以内の吊り部の軸線とで成す平面角度が、２つの吊り部のいずれかで７５°以内となっている、上記第１項又は第２項のいずれかに記載の調理用具吊り具。
【０００８】
４．  固定部材が吸着盤で形成された上記第１項〜第３項のいずれかに記載の調理用具吊り具。
５．  吸着盤と吊り部の間に、吸着盤を被固定部材に吸着させた際、吸着盤の吸着面から被固定部材側に入った位置に、抑え部が形成されている上記第４項に記載の調理用具吊り具。
【０００９】
６．  吸着盤の取り付け部から柄部材の吸着盤側先端部までの長さを、吸着盤の取り付け部から吸着盤の先端部までの長さより長く形成した上記第４項又は第５項のいずれかに記載の調理用具吊り具。
７．  柄部材が、その軸に対して回転自在な状態で形成されている上記第１項〜第６項のいずれかに記載の調理用具吊り具。
【００１０】
【発明の実施の形態】
以下、図面を参照しながら本発明の各種態様に係る調理用具吊り具に関して説明する。以下の説明は，本発明の技術思想を具現化する幾つかの具体例を説明するものであり、本発明は以下の説明に限定されるものではない。
【００１１】
図１−ａは、本発明の一態様に係る調理用具吊り具の構造を示す斜視図である。図１に示す調理用具吊り具は、棒状の柄部材２と、柄部材の一端側に形成された固定部材３と、柄部材の他端側に形成された吊り部１とから構成されている。固定部材３は柄部材２の側面に取り付けられており、吊り部１は、柄部材２の軸線に対し交差する方向に向かって伸長する棒状の部材を柄部材に接合することによって構成されている。ここで交差する方向とは柄部材２の軸線に対し角度を有する方向を云う。よって直交する方向である必要はない。斜め上方または斜め下方であっても構わない。吊り部１は柄部材２と一体化していても良いし、別の部材をボルト・ナットやネジやリング等で取り付けても良い。この構成の中で柄部材２とは固定部材３側の先端部から吊り部１までを云い、吊り部１とは柄部材２の軸線と交差して横方向に伸長している調理用具を吊り下げる部分を示す。柄部材２の端部が横方向に伸長している部分であっても、調理用具を下げる部分で無いところは柄部材と見なすことができる。また、柄部材２及び吊り部１は、板状の部材によって形成しても良いし、棒状部材と板状部材の組み合わせでも構わない。また、吊り部材は固定部材の取り付け部４の取り付け方向軸延長線５から、少なくとも１５ｃｍ以上距離を有した位置に形成される。ここで云う取り付け方向軸の延長線とは、柄部材２に取り付けられた固定部材３の取り付け部４の中央から取り付け部の柄部材の軸に直交して吊り部側に延長した線を云う。図１では、固定部材３として吸着盤を使用した例を示している。固定部材３としては、吸着盤の他にも、接着剤で固定する形式の固定部材３や、接着剤で取り付けたフックに引っ掛けて固定する形式のものなどを用いることもできる。
【００１２】
図２は、本発明の係る調理用具吊り具の使用形態を示す側面図である。本発明に係る調理用具吊り具は、固定部材３（図２の場合は吸着盤）を、調理台のシンクタンク内側壁面６に固定して使用する。その際、柄部材がシンクタンクの上方に立ち上がると共に、吊り部１がシンクタンクの内側に向かって伸長するように取り付ける。そして、調理用具７の柄部に形成されている孔に、吊り部材１を差し込むことによって、調理用具７を吊り部１によって吊った状態で保持する。
このようにして、使用した後の調理用具７を、本発明に係る吊り具によって吊り下げ保持すれば、調理用具７の掬部に付着した液は、シンクタンクの内側に落ちるので、調理台の上を汚すことが無くなると共に、調理台の上に調理用具７を保持しないので、調理台の上を広く使用することができる。
【００１３】
図２のように、吊り部１に調理用具７を下げて保持する為には、実施上、固定部材３の取り付け部から吊り部１までの高さを、固定部材３の取り付け方向軸延長線５から直交する長さで、１５ｃｍ以上とすることが好ましい。この点が本発明の最も必要な要件である。更に、固定部材３に取り付けられている位置から吊り部材１が形成されている位置までの高さを、３０ｃｍ以上にすると、吊り下げられた調理用具７の下端をシンクタンクの上部に位置させることができ、水道を使用しても吊り下げられた調理用具７が水の跳ね返りを受けることが少なくなり、水がついては好ましくない料理、例えば油料理などの場合に調理用具に水の付着を心配する必要が無くなる。また、吊り部１までの高さが低いと、大きな調理用具７を下げた場合にその下端がシンクタンクの低部に当たってしまい不潔であり、また、シンクタンク内での他作業の邪魔になる。
【００１４】
また、吊り部１は、調理用具７が柄部材２に接触しないように、柄部材２より少なくとも４ｃｍ以上離して形成されていることが好ましい。更に、柄部材２に更に小突起などを形成して、輪ゴムなどの小物を吊り下げ保持できるようにしても良い。但し、この場合には、柄部材２に形成する小突起は、吊り部１に吊り下げる調理用具７が当たらないよう、柄部材２から３ｃｍ程度までの長さにすることが好ましい。
【００１５】
また、他の態様として、図３に示すように、複数の棒状又は板状の吊り部１を柄部材２の軸に対して回転方向に相互に開いて複数本形成する事もできる。このように吊り部１を開いて複数本形成すれば、同時に複数本の調理用具を吊り下げ保持できると共に、使用する場合には、任意の調理用具を選択して抜き取ることができる。また、複数の吊り部１の其々を
高さを変えて形成しても良い。
【００１６】
また、他の態様として、図４に示すように、吊り部１に吊り部１を湾曲させ又は屈曲させ又は凹部又は凸部を設け、止め部８を形成することができる。これは調理用具が吊り下げ保持中に奥に移動して重なり、互いに接触して液が付着することを防ぎ、また、重なることで、取り出す手間が煩雑になることを防ぐためのものである。
【００１７】
図４−ａは吊り部１を湾曲させて止め部８を形成したものである。この場合、調理用具は湾曲部の最下部に止まるのでここが止め部８（斜線部分）となる。図４−ｂは屈曲させて形成したものである。この場合は屈曲部が止め部８となる。また、屈曲方向は縦又は横又は斜めのいずれでも構わない。図４−ｃは吊り部１に凹部を形成したものである。この場合は凹部の底部が止め部８となる。また、奥行きのある凹部は奥の立ち上がり部の低部が止め部８となる。図４−ｄは吊り部１に凸部を形成したものである。この場合の止め部８は凸部の底部となる。
【００１８】
図５は止め部８を有した複数の吊り部１が形成する方向に就いて説明するものである。調理用具は吊り下げられる際は、通常、止め部８より先端方向２ｃｍ以内に吊り下げられる。そのため、その部分の吊り部の軸線９の方向が、調理用具を吊り下げた時、用具の吊り下がる方向を決めるのに大切な要因となる。通常、吊り部１の軸線９に直交する方向に、用具の側面が向くので、用具はその方向に幅を占めることになる。ここで隣接する２本の吊り部１に就いて云えば、２本吊り部１の止め部８から先端へ２ｃｍ以内の同一距離点を互いに結んだ場合、２本の軸線９と点を結んだ直線とが平面角度で直交する場合には、２つの用具の側面が接触してしまう可能性が生じる。吊り部１の間隔が狭いと、その可能性が大きくなる。それでは、互いの液が付着してしまうと云う不具合が生じる。それを解決するためには、次のようにすることができる。１つは２本の吊り部１の間の距離を大きくすることである。しかしそれでは、シンクタンクの中で場所を取ってしまい他作業の邪魔になる。そこで、他の方法として次の方法がある。それは、両方の止め部を通る直線１０と止め部８から先端方向２ｃｍ以内の吊り部１の軸線９とで成す平面角度１１を７５°以内にすることである。このようにすれば、相互に側面が向かい合うことを防ぐことができ、側面の接触を防ぐことができる。また、それにより、吊り部１の間隔を狭くすることができることとなる。実施上、平面角度１１は０°に近い方がより効果的である。２本の吊り部においてこの角度１１が０°であれば吊り部が何本あっても、側面方向での接触は絶対に起こり得ないこととなる。この場合、軸線９と直線１０とで成す平面角度１１が４つ形成されるが、いずれの角度でも構わない。また、軸線９が平面上で曲線を形成する場合は、接線を軸線９とする。但し、先端部２ｃｍ以内で調理用具の吊り下げる位置を変えた際に、方向の変化の起こらない曲線、例えば小さな蛇行等であるが、これらは
直線と見なす。
【００１９】
次に固定部材３について云えば、固定部材３は、上記で説明した吸着盤で構成するのが最も好ましい。吸着盤であれば、シンクタンクの内側に容易に取り付けることができるし、洗浄等の際には容易に取り外すことができる。また、シンクタンクの角部が丸みを帯びていている形状の場合には、角部に吸着盤を取りつけることができ、作業の邪魔にならない場所を選択して取り付けることができる。固定部材３は柄部材２の一端側に複数個取り付けても良い。縦に配列しても横に配列しても構わない。
【００２０】
また、他の態様として、図６−ａに示すように、固定部材３を吸着盤で形成し、当該吸着盤をシンクタンクの内側壁面６（被固定部材）に吸着させた際、タンクの外側上面に抑え部１２が位置するように柄部材２に棒状又は板状の部材を形成することができる。このようにすると、上から調理台を抑えることができ、吸着盤が上からの重みでずれることを防ぐことができる。更に左右２箇所に形成すれば左右への回転も防ぐ事ができる。図６−ｂは抑え部１２を、吸着盤の上側の柄部材２を曲げて形成したものである。図６−ｃは吸着盤の取り付け部に抑え部１２を形成したものである。実施上、抑え部１２は被固定部材上に１ｃｍ程度入った状態で乗れば良い。幅は５ｃｍ以上とすると、安定するので好ましい。
【００２１】
また、吸着盤の取り付け部４から柄部材２の先端部までの長さを、取り付け部４から吸着盤の先端部の長さより長くしても良い。これは吸着盤を、タンクの底部近傍取り付けた場合に効果を有する。それは、吸着盤の先端部が下方であると、吸着盤吾がずれて低部に当たった場合、吸着盤がゆがみ、外れてしまう不具合が生じるのでそれを回避するためである。実施上吸着盤より２ｃｍ程度長ければ十分である。また、先端部の幅を５ｃｍ以上にすると安定する。
【００２２】
また、固定部材３を取り付けた箇所の近傍に、吸着盤が取り付けられている側に伸長する突起を形成する事によって、図２に示すようにシンクタンクの壁面に取り付けた際に、突起先端がシンクタンクの壁に当接して、吊り具を動かないように保持する事もできる。
【００２３】
また、本発明に係る調理用具吊り具においては、柄部材２を軸に対して回転自在な状態にして固定部材３を取り付けることにより、吊り具を使用しない場合には、柄部材２を回転させて、吊り部１がシンクタンクの外に出るようにして、シンクタンクにおける作業の邪魔にならないようにすることができる。このような取り付け方は、例えば、柄部材を二つに割って上部と下部とし、上部と下部の継ぎ目に相互に凹凸を付けて嵌着させ回転させることができる。この場合、上部と下部を取り外し自在としても良い。また、継ぎ目の間に、ある長さを有する別の柄部材２を入れることができる。このようにすると、使用する時に長さの調整をすることできる。この場合、継ぎ目に相互に凹凸を付けて嵌着させても良いし、ネジ込みにしても良い。
【００２４】
本発明に係る調理用具釣り具において、構成部材はプラスチック、金属等任意の材料で形成することができる。また、上記において本発明に係る調理用具吊り具の各部分の好ましい寸法について言及したが、上記の説明に限定されるものではなく、柄部材２の形状・寸法、吊り部１の形状・寸法、吊り部１と柄部材２との取り付け角度、固定部材３の大きさ・形状などは、吊り下げ保持すべき調理用具の形状・大きさ・重量などに応じて、適宜経験的に決定することができる。
【００２５】
【発明の効果】
本発明に係る調理用具吊り具によれば、調理用具を流し台のシンクタンクの内側に吊り下げ保持することができるので、使用中又は使用後の調理用具を、液が付着したままで保持しても、調理台の上を汚すことがなく、調理台を清潔に広く使用することができる。更に、シンクタンクの内側に使用後の調理用具が吊り下げ保持されているので、そのまま洗うこともできる。
【図面の簡単な説明】
【図１】本発明の一態様に係る調理用具吊り具の構造を示す斜視図である。
【図２】本発明の一態様に係る調理用具吊り具の使用形態を示す側面図である。
【図３】本発明の他の態様に係る調理用具吊り具における吊り部の形態を示す平面図である。
【図４】本発明の他の態様に係る調理用具吊り具における吊り部の形態を示す側面図である。
【図５】本発明の他の態様に係る調理用具吊り具における吊り部の形態を示す側面図である。
【図６】本発明の他の態様に係る調理用具吊り具における抑え部の形態を示す側面ずである。
【符号の説明】
１    吊り部
２    柄部材
３    固定部材
４    固定部材の取り付け部
５    取り付け方向軸延長線
６    シンクタンク内側壁面
７    調理用具（杓子）
８    止め部
９    軸線
１０  直線
１１  平面角度
１２  抑え部
【図１】
2004174178.tif 000003
【図２】
2004174178.tif 000004
【図３】
2004174178.tif 000005
【図４】
2004174178.tif 000006
【図５】
2004174178.tif 000007
【図６】
2004174178.tif 000008